(57)【要約】      （修正有）【課題】腰壁にルーバーが支持される部位において高強度な支持構造を必要とせず、バルコニー及び建物に対して優れた外観意匠性を付与できる手摺腰壁を提供する。【解決手段】バルコニーの腰壁１０の笠木２０の直上に、手摺５７を兼用した複数の横桟５１により構成されるルーバー５０が取り付けられ、腰壁１０と笠木２０の間に笠木下見切材３０が配設されており、笠木下見切材３０が複数のフィン３１を有している。【選択図】図２
2020105809.tif 000002
【特許請求の範囲】
【請求項１】
バルコニーの腰壁の笠木の直上に、手摺を兼用した複数の横桟もしくは縦桟により構成されるルーバーが取り付けられ、
前記腰壁と前記笠木の間に笠木下見切材が配設されており、
前記笠木下見切材が複数のフィンを有していることを特徴とする、手摺腰壁。
【請求項２】
前記フィンが、前記ルーバーの有する前記横桟もしくは前記縦桟の長手方向に沿っていることを特徴とする、請求項１に記載の手摺腰壁。
【請求項３】
前記腰壁は所定高の複数の柄モジュールを少なくとも縦方向に有しており、
前記笠木下見切材の高さは、前記所定高未満であることを特徴とする、請求項１又は２に記載の手摺腰壁。
【請求項４】
前記ルーバーが前記横桟を有する場合において、
前記横桟は、断面形状が略矩形を有し、その天端面と底面がいずれもバルコニー側に向かって下り勾配を有していることを特徴とする、請求項１乃至３のいずれか一項に記載の手摺腰壁。
【請求項５】
前記底面において、上方に陥没した断面形状が三角形状の水切りが形成されていることを特徴とする、請求項４に記載の手摺腰壁。
【発明の詳細な説明】
【技術分野】
【０００１】
本発明は、手摺腰壁に関する。
【背景技術】
【０００２】
バルコニーの腰壁に対して、ルーバー等からなる手摺が取り付けられている手摺腰壁が適用される場合がある。手摺腰壁によれば、その上方にあるルーバー等からなる手摺により、光と風をバルコニーの内側に取り込みながら、バルコニーの内側への外部からの視線を遮ることが可能になる。
【０００３】
ここで、バルコニーの実質的な利用可能領域を圧迫することなく、建物の内外両側から緑化面を鑑賞することを可能にした手摺腰壁が提案されている。具体的には、バルコニーの幅方向に沿って複数本の手摺支柱が立設され、その屋外側および屋内側に壁材が取り付けられて手摺壁が設けられたバルコニーにおいて、鋼材からなる手摺支柱がバルコニーの有する構造材に剛接合され、手摺支柱から手摺壁の屋外側の壁面よりも外方へ持出しアームが延出している。そして、持出しアームの先端には添え柱が接合され、添え柱の上部が手摺壁の上方まで立ち上げられており、その上部にブラケットが接合され、ブラケットに植栽受梁が架け渡され、その上に植栽容器が載置されるようになっている（例えば、特許文献１参照）。
【先行技術文献】
【特許文献】
【０００４】
【特許文献１】特開２０１７−１２７１９６号公報
【発明の概要】
【発明が解決しようとする課題】
【０００５】
特許文献１に記載の手摺腰壁は、腰壁から持出しアームが外側に張り出し、この持出しアームによりルーバーが支持されているキャンチ構造を有することから、強度の高いルーバーの支持構造を必要とする。
【０００６】
ところで、腰壁には、所定の高さ及び幅を有する様々な柄モジュールが上下左右に連続しているのが一般的である。バルコニーの手摺の高さに関しては、建築基準法によるバルコニーにおける手摺の高さ規定や、品確法（住宅の品質確保の促進等に関する法律）における手摺の設置基準等がある。具体的には、建築基準法によれば、バルコニーデッキ天端から１１００ｍｍ以上の高さとすることが規定されており、品確法によれば、足がかりの高さが６５０ｍｍ以上の場合は手摺高さを１１００ｍｍ以上とし、足がかりの高さが６５０ｍｍ未満の場合は腰壁からさらに８００ｍｍ以上の高さにする等が規定されている。
【０００７】
従って、このような各種基準に基づいて手摺腰壁の高さを設定した場合において、腰壁の下端から腰壁の天端の笠木（ルーバーの下端）に亘って上記する柄モジュールの割付を行った際に、最上部の笠木近傍において柄モジュールの割付ができず、柄モジュールの高さ未満の隙間が生じる可能性がある。このように腰壁において連続する柄モジュールと笠木の間に生じた隙間は、バルコニー及び建物の外観意匠性を損なう要因となり得る。
【０００８】
本発明は上記課題に鑑みてなされたものであり、腰壁にルーバーが支持される部位において高強度な支持構造を必要とせず、バルコニー及び建物に対して優れた外観意匠性を付与できる手摺腰壁を提供することを目的としている。
【課題を解決するための手段】
【０００９】
前記目的を達成すべく、本発明による手摺腰壁の一態様は、
バルコニーの腰壁の笠木の直上に、手摺を兼用した複数の横桟もしくは縦桟により構成されるルーバーが取り付けられ、
前記腰壁と前記笠木の間に笠木下見切材が配設されており、
前記笠木下見切材が複数のフィンを有していることを特徴とする。
【００１０】
本態様によれば、バルコニーの腰壁の笠木の直上にルーバーが取り付けられていることにより、腰壁からその屋外側にルーバーが持出されるキャンチ構造の形態と異なり、高強度なルーバーの支持構造は不要となる。また、腰壁の笠木近傍において柄モジュールの割付ができず、最上段の柄モジュールと笠木の間に隙間が生じる場合においても、この隙間に笠木下見切材が配設されることにより、隙間によってバルコニー及び建物の外観意匠性が損なわれるといった問題は生じない。また、本態様の手摺腰壁によれば、笠木下見切材が複数のフィンを有していることにより、笠木の下方領域に質感を付与することができ、笠木周りの外観意匠性を高めることができる。
【００１１】
さらに、笠木下見切材の下方にある腰壁表面における連続した柄モジュールと、笠木の上方にあるルーバーの有する複数の横桟もしくは縦桟と、笠木下見切材の有する複数のフィンが連続して連なることにより、連続一体性を有しつつ、柄に変化のある外観意匠性を醸し出すことができる。尚、腰壁は、窯業系や金属系のサイディングボードのほか、タイル外壁等があり、いずれの形態においても、所定の高さ及び幅を有する柄モジュールが上下左右に連続している。
【００１２】
また、本発明による手摺腰壁の他の態様は、前記フィンが、前記ルーバーの有する前記横桟もしくは前記縦桟の長手方向に沿っていることを特徴とする。
【００１３】
本態様によれば、ルーバーが横格子の場合の横桟もしくは縦格子の場合の縦桟と、笠木下見切材の有するフィンのそれぞれの長手方向が一致していることにより、笠木下見切材からルーバーにかけての連続一体性を醸し出すことができる。
【００１４】
また、本発明による手摺腰壁の他の態様において、前記腰壁は所定高の複数の柄モジュールを少なくとも縦方向に有しており、
前記笠木下見切材の高さは、前記所定高未満であることを特徴とする。
【００１５】
本態様によれば、腰壁の笠木近傍において柄モジュールの割付ができず、最上段の柄モジュールと笠木の間に隙間が生じる場合においても、この隙間において柄モジュールの有する所定高未満の高さの笠木下見切材が配設されることにより、隙間を笠木下見切材にて解消することができ、バルコニー及び建物に対して優れた外観意匠性を付与することができる。尚、「複数の柄モジュールを少なくとも縦方向に有し」とは、複数の柄モジュールを縦方向に有していることの他、複数の柄モジュールを縦方向と横方向に有していることを含んでいる。
【００１６】
また、本発明による手摺腰壁の他の態様は、前記ルーバーが前記横桟を有する場合において、
前記横桟は、断面形状が略矩形を有し、その天端面と底面がいずれもバルコニー側に向かって下り勾配を有していることを特徴とする。
【００１７】
本態様によれば、ルーバーの横桟の天端面と底面がいずれも、バルコニー側に向かう下り勾配（水勾配）を有することにより、横桟の天端面と底面から雨水をバルコニー側に導くことができ、天端面や底面における雨水の滞留や雨だれを抑制することができる。
【００１８】
また、本発明による手摺腰壁の他の態様は、前記底面において、上方に陥没した断面形状が三角形状の水切りが形成されていることを特徴とする。
【００１９】
本態様によれば、横桟の底面において上方に陥没した底目状で、断面形状が三角形状の水切りが形成されていることにより、横桟の底面の途中位置において雨水の流れを切ることができる。さらに、下方からルーバーの横桟を見た際に、水切りが陰影を形成して底面の他の部位との間にコントラストを付けることにより、横桟に立体感を付与することができ、より一層外観意匠性に優れたバルコニー及び建物を形成することができる。
【発明の効果】
【００２０】
以上の説明から理解できるように、本発明の手摺腰壁によれば、腰壁にルーバーが支持される部位において高強度な支持構造を必要とせず、バルコニー及び建物に対して優れた外観意匠性を付与することができる。
【図面の簡単な説明】
【００２１】
【図１】実施形態に係る手摺腰壁の一例を下方から見た斜視図である。
【図２】図１におけるII−II矢視図であって、実施形態に係る手摺腰壁の一例の縦断面図である。
【図３】ルーバーの横桟を拡大した縦断面図である。
【発明を実施するための形態】
【００２２】
以下、実施形態に係る手摺腰壁について、添付の図面を参照しながら説明する。尚、本明細書及び図面において、実質的に同一の構成要素については、同一の符号を付することにより重複した説明を省く場合がある。
【００２３】
［実施形態に係る手摺腰壁］
図１乃至図３を参照して、実施形態に係る手摺腰壁の一例について説明する。ここで、図１は、実施形態に係る手摺腰壁の一例を下方から見た斜視図である。また、図２は、図１におけるII−II矢視図であって、実施形態に係る手摺腰壁の一例の縦断面図である。さらに、図３は、ルーバーの横桟を拡大した縦断面図である。
【００２４】
図１に示す手摺腰壁１００を有する建物は、例えば２階建てもしくは３階建てで、鉄骨造や木造、鉄筋コンクリート造等の住宅であり、手摺腰壁１００は２階もしくは３階に設けられるバルコニーに適用される。
【００２５】
手摺腰壁１００は、バルコニーの腰壁１０の笠木２０の直上に、手摺を兼用した複数の横桟５１が複数の外装支柱５２により一体とされた横格子のルーバー５０が取り付けられ、腰壁１０と笠木２０の間に笠木下見切材３０が配設されることにより形成されている。
【００２６】
図２に示すように、腰壁１０は、縦フレーム材１７ａと横フレーム材１７ｂが枠状に組み付けられることにより形成される腰壁フレーム１７と、腰壁フレーム１７のバルコニー側の側面及び屋外側の側面に取り付けられている外装材１０'と、腰壁フレーム１７の天端に取り付けられている笠木２０とにより形成されている。
【００２７】
建物において、バルコニー床梁（図示せず）はＨ形鋼等の形鋼材により形成され、腰壁１０を構成する腰壁フレーム１７は平鋼等の形鋼材により形成され、外装材１０'は窯業系サイディング材や金属系サイディング材等の各種サイディング材や、タイルが貼着されたタイル外壁等の面材である。尚、バルコニーの腰壁１０が取り付けられる建物の外壁の外装材も、腰壁１０と同素材のサイディング材等により形成される。
【００２８】
図１に示すように、腰壁１０を構成する外装材１０'の表面には、複数の凸部１１，１２，１３と、各凸部１１，１２，１３の間にある凹部１４，１５とにより形成される一様な柄モジュール１６が左右上下に連続している。図示例の柄モジュール１６は、相対的に低い（高さ方向に狭幅の）凸部１１，１２と、相対的に高い（高さ方向に広幅の）凸部１３が、相対的に高い（広幅の）凹部１４と、相対的に低い（狭幅の）凹部１５を介在させることにより形成されている。尚、適用される柄モジュールは図示例以外にも様々なものが存在する。
【００２９】
図２に示すように、柄モジュール１６の高さはｔ１であり、図１及び図２において、不図示のバルコニー床梁の下方位置から所定の整数倍の柄モジュール１６が笠木２０の近傍まで割付されている。
【００３０】
腰壁フレーム１７の天端には平鋼等の形鋼材により形成される頭繋ぎ１８が配設され、頭繋ぎ１８の上には笠木受け２１が配設されている。頭繋ぎ１８と笠木受け２１は、共通のビス等により腰壁フレーム１７の天端に固定されている。
【００３１】
また、頭繋ぎ１８には、鋼製の手摺支柱２３の脚面が、止水パッキン２２ａを介して六角ボルト等の締付けボルト２２により固定されている。鋼製の笠木２０は、手摺支柱２３に対応する位置に貫通孔（図示せず）を有しており、この貫通孔に手摺支柱２３を貫通させた姿勢で笠木受け２１に取り付けられている。尚、手摺支柱２３の脚面には、ＥＰＤＭ系ゴム（エチレンプロピレンゴム）やポリエチレンゴム等からなる止水材を取り付け、頭繋ぎ１８との間の隙間から腰壁フレーム１７の内部に雨水が浸入しないようにするのが好ましい。
【００３２】
横格子のルーバー５０は、アルミニウム製で断面視略矩形の横桟５１を複数（図示例は７つ）備え、各横桟５１が同様にアルミニウム製の複数の外装支柱５２に取り付けられることにより一体とされている。複数の外装支柱５２の上端には手摺胴縁５６が横架され、手摺胴縁５６に対して上方から手摺５７が嵌め込まれることにより、手摺を兼用したルーバー５０が形成される。図２に示すように、手摺支柱２３に対して外装支柱５２が締付けボルト５３にて固定されることにより、バルコニーの腰壁１０の笠木２０の直上に、ルーバー５０が取り付けられる。尚、ルーバーは、複数の縦桟を有する縦格子の形態であってもよい。
【００３３】
このように、バルコニーの腰壁１０の笠木２０の直上にルーバー５０が取り付けられていることから、例えば、ルーバーが腰壁から屋外側に張り出した位置に取り付けられるキャンチ構造の形態のように、腰壁にルーバーが支持される部位において高強度な支持構造は必要としない。既述するように、手摺腰壁１００では、腰壁１０の天端において直上に立ち上がる手摺支柱２３に対して、腰壁１０の天端に載置されたルーバー５０の外装支柱５２がボルト接合されるシンプルな接合構造が適用されている。
【００３４】
図２に示すように、腰壁１０のバルコニー側の底面には、床パネル（図示せず）の上に下地板４１が載置され、下地板４１の上に防水シート（図示せず）が配設され、防水シートの上に床仕上げ材４２が配設されることによりバルコニーデッキ４０が形成される。
【００３５】
腰壁１０は、腰壁フレーム１７の屋外側とバルコニー側の両面において、対応するそれぞれの柄モジュール１６が同じ高さレベルとなるように上下に配設されている。図２において、腰壁フレーム１７の屋外側には高さ方向に３つの柄モジュール１６が示されているが、例えば、高さ方向に５つ乃至８つ程度の柄モジュール１６を有する面材からなる外装材１０'が適用されている。また、１つの柄モジュール１６の高さｔ１は、例えば２００ｍｍ乃至４００ｍｍ程度に設定できる。
【００３６】
一方、手摺腰壁１００において、バルコニーデッキ４０から手摺腰壁１００の天端にある手摺５７までの高さｔ５は、各種の基準により設定される。建築基準法によるバルコニーにおける手摺の高さ規定によれば、高さｔ５を１１００ｍｍ以上にすることが規定されている。また、品確法によれば、足がかりとなる笠木２０の天端までの高さｔ３が６５０ｍｍ以上の場合、高さｔ５は１１００ｍｍ以上と規定され、高さｔ３が３００ｍｍ以上６５０ｍｍ未満の場合、ルーバー５０の高さｔ４（足がかりとなる笠木２０から手摺５７までの高さ）は８００ｍｍ以上と規定されている。さらに、高さｔ３が３００ｍｍ未満の場合、高さｔ５は建築基準法と同様に１１００ｍｍ以上と規定されている。
【００３７】
手摺腰壁１００において、高さｔ３を６５０ｍｍに設定し、高さｔ５を１１００ｍｍに設定した場合、笠木２０の高さレベルが自動的に決定される（この例では、バルコニーデッキ４０から６５０ｍｍの高さ）。一方、腰壁１０を構成する外装材１０'においては、その下端から複数の高さｔ１の柄モジュール１６が上下に割付されている。そのため、笠木２０の下方において、最後の柄モジュール１６の割付に必要な高さｔ１が確保できない高さｔ２（ｔ２＜ｔ１）が残る場合が往々にしてあり、このような場合には残った高さｔ２の範囲は柄モジュール１６の存在しない隙間となってしまう。
【００３８】
手摺腰壁１００は、この高さｔ２の範囲に笠木下見切材３０を配設することにより、隙間の発生を解消している。笠木下見切材３０は、ルーバー５０の横桟５１の長手方向に沿う複数（図示例は５本）のフィン３１を有し、最上段には、別途の水返しフィン３２を有している。笠木下見切材３０は、ルーバー５０と同様にアルミニウム製であり、ルーバー５０と同色を有していてもよいし、ルーバー５０と外装材１０'の中間色を有していてもよい。
【００３９】
手摺腰壁１００では、腰壁１０の笠木２０の近傍において柄モジュール１６の割付ができず、最上段の柄モジュール１６と笠木２０の間に隙間が生じる場合においても、この隙間に笠木下見切材３０が配設されることにより、隙間によってバルコニー及び建物の外観意匠性が損なわれることがない。また、笠木下見切材３０が複数のフィン３１を有していることにより、笠木２０の下方領域に質感を付与することができ、笠木２０周りの外観意匠性を高めることができる。
【００４０】
さらに、笠木下見切材３０の下方にある腰壁１０の表面における連続した柄モジュール１６と、笠木２０の上方にあるルーバー５０の有する複数の横桟５１と、笠木下見切材３０の有する複数のフィン３１が連続して連なることにより、連続一体性を有しつつ、柄に変化のある外観意匠性を醸し出すことができる。特に、手摺腰壁１００においては、ルーバー５０の横桟５１と、笠木下見切材３０のフィン３１のそれぞれの長手方向が一致していること、及び、柄モジュール１６の有する凸部１１，１２等の長手方向もこれらに一致していることにより、この連続一体性はより一層顕著になる。
【００４１】
ルーバー５０の有する横桟５１は、図２及び図３に示すように、断面視略矩形を呈しており、その天端面５１ａと底面５１ｂはいずれも、バルコニー側に向かう下り勾配を有しており、天端面５１ａと底面５１ｂを屋外側とバルコニー側の鉛直側面５１ｃ、５１ｄが繋いでいる。
【００４２】
横桟５１の天端面５１ａと底面５１ｂがいずれも、バルコニー側に向かう下り勾配（水勾配）を有することにより、横桟５１の天端面５１ａと底面５１ｂから雨水をバルコニー側に導くことができ、天端面５１ａや底面５１ｂにおける雨水の滞留やＹ１方向、Ｙ３方向の雨だれを抑制することができる。
【００４３】
また、図３に示すように、横桟５１の底面５１ｂにおいて、上方に陥没した底目状で、断面形状が三角形状の水切り５１ｅが形成されている。
【００４４】
横桟５１の底面５１ｂにおいて上方に陥没した水切り５１ｅが形成されていることにより、横桟５１の底面５１ｂの途中位置において鉛直側面５１ｃから流れてきた雨水の流れをＹ２方向に切ることができる。さらに、図１及び図３に示す斜め下方のＸ方向からルーバー５０を見た際に、横桟５１の底面５１ｂにある断面形状が三角形状の水切り５１ｅが陰影を形成して底面５１ｂの他の部位との間にコントラストを付けることができる。この作用により、横桟５１に立体感を付与することができ、より一層外観意匠性に優れたバルコニー及び建物を形成することができる。
【００４５】
尚、横桟５１の外側端面から底面５１ｂに流れ込んできた雨水の流れを速やか切ることを可能にし、かつ下方から横桟５１の底面５１ｂに形成されている水切り５１ｅを建物の下方もしくは斜め下方から視認可能にするべく、横桟５１の底面５１ｂの可及的に屋外側の位置に水切り５１ｅが形成されているのが好ましい。
【００４６】
尚、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００４７】
１０：腰壁、１０'：外装材、１１，１２，１３：凸部、１４，１５：凹部、１６：柄モジュール、１７：腰壁フレーム、１８：頭繋ぎ、１９：見切下地、２０：笠木、２１：笠木受け、２２：取り付けボルト、２３：手摺支柱、３０：笠木下見切材、３１：フィン、３２：水返しフィン、３５：止水材、４０：バルコニーデッキ、５０：ルーバー、５１：横桟、５１ａ：天端面、５１ｂ：底面、５１ｃ、５１ｄ：鉛直側面、５１ｅ：水切り、５２：外装支柱、５３：取り付けボルト、５６：手摺胴縁、５７：手摺、１００：手摺腰壁
【図１】
2020105809.tif 000003
【図２】
2020105809.tif 000004
【図３】
2020105809.tif 000005